(57)【要約】【課題】ローカルエリアネットワーク環境下に画像撮影装置が置かれた場合でも、被写体画像のセキュリティを図ることのできる画像撮影装置を提供する。【解決手段】本発明の画像撮影装置１１は、通信プロトコルを用いて通信可能でかつ被写体画像を記録する情報記録媒体１２を有し、ネットワークに接続されたクライアントからの通信開始要求に応じて、通信を確立して情報記録媒体に記録された被写体画像をクライアントに送信するサーバであり、クライアントからの通信開始要求を検出する検出手段と、検出手段の検出結果に基づいて通信開始要求を発信した相手先のクライアントを表示する表示手段１４と、表示手段１４の表示に基づき通信開始要求を発信した相手先のクライアントへの通信を許可するか否かを選択して入力する選択入力手段とを備えている。【選択図】図２
2007060629.tif 000002
【特許請求の範囲】
【請求項１】
通信プロトコルを用いて通信可能でかつ被写体画像を記録する情報記録媒体を有し、ネットワークに接続されたクライアントからの通信開始要求に応じて、通信を確立して前記情報記録媒体に記録された被写体画像を前記クライアントに送信するサーバとしての画像撮影装置であり、  前記クライアントからの通信開始要求を検出する検出手段と、該検出手段の検出結果に基づいて通信開始要求を発信した相手先のクライアントを表示する表示手段と、該表示手段の表示に基づき前記通信開始要求を発信した相手先のクライアントへの通信を許可するか否かを選択して入力する選択入力手段とを備えている画像撮影装置。
【請求項２】
前記検出手段はマックアドレスに基づいて前記クライアントを特定することを特徴とする請求項１に記載の画像撮影装置。
【請求項３】
前記検出手段は前記クライアントからの通信開始要求を受信すると、自動的に前記表示手段に通信開始要求を発信した相手先のクライアントを表示することを特徴とする請求項２に記載の画像撮影装置。
【請求項４】
前記表示手段には、前記クライアントの通信開始要求を許可する許可ボタンと前記クライアントの通信開始要求を拒否する拒否ボタンとが表示され、前記選択入力手段が前記許可ボタンと前記拒否ボタンとからなることを特徴とする請求項３に記載の画像撮影装置。
【請求項５】
前記クライアントのマックアドレスを登録するテーブルが設けられ、前記表示手段には、特定のクライアントからの通信開始要求については自動応答する自動応答ボタンが表示され、該自動応答ボタンの操作に基づき前記テーブルに前記クライアントのマックアドレスが登録され、前記テーブルに登録されているマックアドレスを有するクライアントからの通信開始要求については被写体画像を該クライアントに自動送信することを特徴とする請求項４に記載の画像撮影装置。
【請求項６】
通信プロトコルを用いて通信可能でかつ被写体画像を記録する情報記録媒体を有し、ネットワークに接続されたクライアントからの通信開始要求に応じて、通信を確立して前記情報記録媒体に記録された被写体画像を前記クライアントに送信するサーバとしての画像撮影装置であり、前記クライアントからの通信開始要求を検出する検出手段と、該検出手段の検出結果に基づいて通信着信画面を表示する表示手段とを備え、
前記通信着信画面には、相手先のクライアントへの通信を無条件に許可するか否かの無条件応答ボタンと、前記通信開始要求を発信した相手先のクライアントを表示すると共に前記クライアントの通信開始要求を許可する許可ボタンと前記クライアントの通信開始要求を拒否する拒否ボタンとを表示するための選択入力画面設定ボタンと、パスワード入力
ボタンとが表示され、前記無条件応答ボタンが操作されると、自動的に相手先のクライアントと通信が確立され、前記パスワード入力ボタンを操作すると入力パスワードを照合して照合結果が正しいときに相手先のクライアントと通信が確立され、前記選択入力画面設定ボタンを操作すると、前記許可ボタンと前記拒否ボタンとが表示されると共に通信開始要求を発信した相手先のクライアントが表示され、前記許可ボタンを操作すると相手先のクライアントとの通信が確立され、前記拒否ボタンを操作すると相手先のクライアントとの通信が拒否されることを特徴とする画像撮影装置。
【発明の詳細な説明】
【技術分野】
【０００１】
本発明は、被写体画像を通信相手先のクライアントへ送信する画像撮影装置に関する。
【背景技術】
【０００２】
従来から、画像撮影装置、例えば、デジタルカメラには、ローカルエリアネットワークに接続されたプリンタに被写体画像を転送してプリンタにより被写体画像をプリントアウトさせる構成のものが知られている（例えば、特許文献１参照。）。
【０００３】
また、デジタルカメラには、ＰＴＰＩＰプロトコル対応のものもある。そのＰＴＰＩＰプロトコル対応のデジタルカメラでは、クライアントとしてのパーソナルコンピュータから通信開始要求があると、これに応答して通信を確立し、自動的に被写体画像の転送を行うことができるようにされている。
【特許文献１】特開２００４−１５９２８１号公報
【発明の開示】
【発明が解決しようとする課題】
【０００４】
ところで、図１に示すように、ローカルエリアネットワーク１の環境のもとで、サーバとしてのデジタルカメラ２とクライアントしてのパーソナルコンピュータ３との間での通信を行う場合を想定すると、ローカルエリアネットワーク１には多数のパーソナルコンピュータ３が存在しており、また、デジタルカメラ２も多数存在している。
【０００５】
このようなローカルエリアネットワーク１の環境のもとで、或るパーソナルコンピュータ３から通信開始要求が或るデジタルカメラ２にあるとき、何らのセキュリティ対策も行わないものとすると、いずれのパーソナルコンピュータ３からでもデジタルカメラ２の被写体画像を取得でき、望ましくない事態が生じる。
【０００６】
本発明は、上記の事情に鑑みて為されたもので、その目的とするところは、ローカルエリアネットワーク環境下に画像撮影装置が置かれた場合でも、被写体画像のセキュリティを図ることのできる画像撮影装置を提供することにある。
【課題を解決するための手段】
【０００７】
請求項１に記載の画像撮影装置は、通信プロトコルを用いて通信可能でかつ被写体画像を記録する情報記録媒体を有し、ネットワークに接続されたクライアントからの通信開始要求に応じて、通信を確立して前記情報記録媒体に記録された被写体画像を前記クライアントに送信するものであり、
前記クライアントからの通信開始要求を検出する検出手段と、該検出手段の検出結果に基づいて通信開始要求を発信した相手先のクライアントを表示する表示手段と、該表示手段の表示に基づき前記通信開始要求を発信した相手先のクライアントへの通信を許可するか否かを選択して入力する選択入力手段とを備えていることを特徴とする。
【０００８】
請求項２に記載の画像撮影装置は、前記検出手段はマックアドレスに基づいて前記クライアントを特定することを特徴とする。
【０００９】
請求項３に記載の画像撮影装置は、前記検出手段は前記クライアントからの通信開始要求を受信すると、自動的に前記表示手段に通信開始要求を発信した相手先のクライアントを表示することを特徴とする。
【００１０】
請求項４に記載の画像撮影装置は、前記表示手段には、前記クライアントの通信開始要求を許可する許可ボタンと前記クライアントの通信開始要求を拒否する拒否ボタンとが表示され、前記選択入力手段が前記許可ボタンと前記拒否ボタンとからなることを特徴とする。
【００１１】
請求項５に記載の画像撮影装置は、前記クライアントのマックアドレスを登録するテーブルが設けられ、前記表示手段には、特定のクライアントからの通信開始要求については自動応答する自動応答ボタンが表示され、該自動応答ボタンの操作に基づき前記テーブルに前記クライアントのマックアドレスが登録され、前記テーブルに登録されているマックアドレスを有するクライアントからの通信開始要求については被写体画像を該クライアントに自動送信することを特徴とする。
【００１２】
請求項６に記載の画像撮影装置は、通信プロトコルを用いて通信可能でかつ被写体画像を記録する情報記録媒体を有し、ネットワークに接続されたクライアントからの通信開始要求に応じて、通信を確立して前記情報記録媒体に記録された被写体画像を前記クライアントに送信するサーバとしての画像撮影装置であり、
前記クライアントからの通信開始要求を検出する検出手段と、該検出手段の検出結果に基づいて通信着信画面を表示する表示手段とを備え、
前記通信着信画面には、相手先のクライアントへの通信を無条件に許可するか否かの無条件応答ボタンと、前記通信開始要求を発信した相手先のクライアントを表示すると共に前記クライアントの通信開始要求を許可する許可ボタンと前記クライアントの通信開始要求を拒否する拒否ボタンとを表示するための選択入力画面設定ボタンと、パスワード入力
ボタンとが表示され、
前記無条件応答ボタンが操作されると、自動的に相手先のクライアントと通信が確立され、前記パスワード入力ボタンを操作すると入力パスワードを照合して照合結果が正しいときに相手先のクライアントと通信が確立され、前記選択入力画面設定ボタンを操作すると、前記許可ボタンと前記拒否ボタンとが表示されると共に通信開始要求を発信した相手先のクライアントが表示され、前記許可ボタンを操作すると相手先のクライアントとの通信が確立され、前記拒否ボタンを操作すると相手先のクライアントとの通信が拒否されることを特徴とする。
【発明の効果】
【００１３】
請求項１に記載の発明によれば、サーバ側である画像撮影装置の側において、クライアント側であるパーソナルコンピュータやプリンタからの通信開始要求を許可又は拒否でき、セキュリティの確保を図ることができる。
【００１４】
請求項２に記載の発明によれば、そのパーソナルコンピュータやプリンタに唯一無二の識別番号を用いて通信の相手先をサーバ側で知ることができる。
【００１５】
請求項３、請求項４に記載の発明によれば、画像撮影装置の側で被写体画像の送り先である相手方を認識できるという効果を奏する。
【００１６】
請求項５に記載の発明によれば、一旦通信を許可したクライアントに対しては、面倒な通信許可操作を行わなくとも、そのクライアントに被写体画像を自動的に送信でき、被写体画像の送信の効率化を図ることができるという効果を奏する。
【００１７】
請求項６に記載の発明によれば、セキュリティレベルの選択を行うことができ、特にパスワードを照合して通信の相手先のクライアントを確認できるので、より一層セキュリティを確保できる。
【発明を実施するための最良の形態】
【００１８】
以下に、本発明に係わる画像撮影装置をデジタルカメラに適用した発明の実施の形態を図面を参照しつつ説明する。
（実施例１）
図２は本発明に係わる画像撮影装置としてのデジタルカメラ１１を示している。デジタルカメラ１１はフラッシュメモリ等の情報記録媒体としての外部記憶装置１２と、ＣＣＤ、ＡＤ変換器等を有する撮像装置１３と、各種の情報を表示する表示装置（表示手段）１４と、外部からの入力操作を行う操作卓１５と、ローカルエリアネットワーク１に接続する通信装置１６と、デジタルカメラ１１の全体を制御する全体制御装置１７とを有する。
【００１９】
全体制御装置１７は、ＣＰＵ、ＲＯＭ、ＲＡＭ、フラッシュROM、入出力ポート、これらを結ぶバスラインからなる周知のマイクロコンピュータから構成されている。外部記憶装置１２は被写体画像を記憶している。
【００２０】
このデジタルカメラ１１は、通信プロトコルを用いて通信可能で、ローカルエリアネットワーク１に接続されたクライアントとしてのパーソナルコンピュータ３からの通信開始要求に応じて、通信を確立して情報記録媒体に記録された被写体画像をパーソナルコンピュータ３に送信可能である。
【００２１】
なお、デジタルカメラ１１には、ローカルエリアネットワーク１に接続される際に、ＩＰアドレスが割り当てられる。IPアドレスは、インターネットやイントラネット等のIPネットワークに接続されたコンピュータや通信機器の１台１台に割り当てられた識別番号であり、現在（本件特許出願時）の規格では４バイトの１６進数で構成されている。IPアドレスはネットワーク部とホスト部とに分割されている。ネットワーク部はネットワークを指定するアドレスであり、ホスト部はネットワーク中の機器を指定するアドレスである。
【００２２】
通信装置１６はパーソナルコンピュータ３からの通信開始要求を検出する検出手段を有する。表示装置１４は検出手段の検出結果に基づいて通信開始要求を発信した相手先のパーソナルコンピュータ３を表示する表示手段として機能する。
【００２３】
検出手段はパーソナルコンピュータ３からの通信開始要求を受信すると、通信開始要求に含まれるＩＰアドレスやイーサネット（登録商標）のマックアドレスを抽出する。マックアドレスは機器固有に割り当てられた識別番号であり、６バイトの１６進数で構成されている。検出手段は、抽出したIPアドレスやマックアドレスの対応が記載されているネームサーバのデータを参照することにより、パーソナルコンピュータ３の名称を取得することができる。
【００２４】
表示装置１４には、図３に示すように、通信開始要求を発信した相手先のパーソナルコンピュータ３の名称やＩＰアドレスが表示されると共に、パーソナルコンピュータ３の通信開始要求を許可する許可ボタン１７とパーソナルコンピュータ３の通信開始要求を拒否する拒否ボタン１８とが表示される。ここで、許可ボタン１７と拒否ボタン１８とは選択入力手段として機能する。なお、その図３において、文字「A」はパーソナルコンピュータ３の名称を示す。
【００２５】
本発明に係わる画像撮影装置に用いるデータフレームの構成の一例が図４に示されている。
【００２６】
データフレームは、通信の階層毎にフレーム構成が決められている。このデータフレームは最下層のイーサネット(登録商標）フレームと、IPフレーム（データA部）と、TCPフレーム（データB部）とからなっている。イーサネット(登録商標）フレームは、例えば、プリアンブル部とあて先MACアドレス部と発信元MACアドレス部とタイプ部とデータA部とFCS部とからなっている。最下層のイーサネット(登録商標）フレームでは全てのデータを参照できる。
【００２７】
データA部（IPフレーム）は、イーサネット(登録商標）フレームでフレーム化（パケット化）されて、その上の階層を構成している。ここで、IPフレームは、例えば、フレーム長、識別子、プロトコル番号、送信元IPアドレス、あて先IPアドレス、データB部からなる。データB（TCPフレーム）部は、IPフレームの上位の階層を構成している。このTCPフレームは、例えば、送信元ポート番号、あて先ポート番号、ウインドウサイズ、その他のヘッダ、データC部からなる。
【００２８】
TCPフレームのデータC部に相当する部分に図５（a）〜（ｃ）に示すデータが組み込まれる。すなわち、TCPの上位の通信レイヤに本実施例に係わるデータが記述される。その図５（a）はコマンドIDとしての通信開始要求のパケットの構成例を示している。その図５（ｂ）はコマンドIDとしての通信開始応答のパケットの構成例を示している。その図５（ｃ）はコマンドIDとしての通信開始拒否のパケットの構成例を示している。
【００２９】
ここでは、通信開始要求コマンドIDのフレームに、図５（a）に示すように、端末の種別、端末の名称等、その他の送信端末の情報が組み込まれている。この場合には、ネームサーバを必要とすることなく通信開始要求を受信するだけで被写体画像データの送信先である相手方の名称を取得することができる。表示装置１４の画面G1にはこれによって送信先である相手方の名称である文字「パソコンA」が表示される。
【００３０】
なお、通信開始要求コマンドIDのフレームに、図５（ｄ）に示すように、端末の種別、端末の名称等、その他の送信端末の情報を組み込まない構成とすることもできる。この場合には、ネームサーバ等によって相手先の名称を取得して、表示装置１４の画面G1に相手先の名称である文字「パソコンA」が表示される。ネームサーバがない等の理由によって、名称の取得ができない場合にはIPアドレスの表示を行うと良い。
【００３１】
また、ここでは、通信開始応答コマンドIDのフレームに、図５（ｂ）に示すように、送信元の端末の種別、端末の名称等、その他の送信端末の情報が組み込まれている。この場合は、ネームサーバを必要とすることなく通信開始応答を受信するだけで送信元である相手方の名称を取得することができる。この実施例では、相手方の端末（例えば、パソコンA）の画面にはこれによって送信元の名称である文字「カメラA」が表示される。
【００３２】
また、ここでは、通信開始拒否コマンドIDのフレームに、図５（ｃ）に示すように、送信元の端末の種別、端末の名称等、その他の送信端末の情報が組み込まれている。この場合は、ネームサーバを必要とすることなく通信開始拒否を受信するだけで送信元である相手方の名称を取得することができる。この実施例では、相手方の端末（例えば、パソコンA）の画面にはこれによって送信元の名称である文字「カメラA」が表示される。
【００３３】
図６にはこの実施例１に係わるデジタルカメラ１１の作用を説明するためのフローチャートが示されている。デジタルカメラ１１は、撮影モードでスルー画像を表示している状態や再生モードで再生画像を表示している状態で、定期的に通信開始要求があるか否かを監視する（S.1）。
【００３４】
パーソナルコンピュータ３からの通信開始要求を受信すると、検出手段は通信開始要求パケットに含まれている送信元であるパーソナルコンピュータ３のIPアドレスを抽出する（Ｓ．２）。CPUはパーソナルコンピュータ３の名称等の情報を表示装置１４の選択入力画面Ｇ１に表示させる（Ｓ．３）。この入力画面G１には、既述の図５（ａ）に示す通信開始要求パケットに従って所定の事項が表示される。
【００３５】
この選択入力画面Ｇ１への切り換えは自動的に実行される。
【００３６】
すなわち、デジタルカメラ１１はそのデジタルカメラ１１の撮影モードにおける露光から記録に至る動作実行中に通信開始要求を受信した場合には、表示装置１４は撮影動作が完了した後にスルー画像や再生画像を表示している状態から選択入力画面Ｇ１に切り換えられる。
【００３７】
デジタルカメラ１１は、許可ボタン１７と拒否ボタン１８とのいずれかが操作されるまで待機する（Ｓ．４）。許可ボタン１７が操作されると、パーソナルコンピュータ３に向けて図５（ｂ）に示す既述の通信開始応答パケットを返信する（Ｓ．５）。
【００３８】
これにより、パーソナルコンピュータ３とデジタルカメラ１１との間に通信が確立される。その結果、デジタルカメラ１１から被写体画像がパーソナルコンピュータ３に向けて送信される。表示装置１４には図７に示すように通信中画面Ｇ２が表示される。
【００３９】
なお、通信中、表示装置１４をブラックアウト表示とし、ＬＥＤを点滅させる構成としても良いし、相手先のパーソナルコンピュータ３を表示させたままの構成としても良い。
【００４０】
この通信モードの実行中、撮影動作を禁止する構成とすることにより、共通メモリの有効利用を図ることができる。更に、相手先からリモート撮影要求がある場合、デジタルカメラ１１による操作自体を禁止して、パーソナルコンピュータ３から撮影要求を受けたときのみ撮影を実行する構成とすることもできる。通信モードの実行中、他の端末（パーソナルコンピュータ３、プリンタ）からの通信開始要求を拒否する構成とすることもできる。
【００４１】
図３において、拒否ボタン１８が操作されると、デジタルカメラ１１は図５（ｃ）に示す通信拒否パケットを通信開始要求を送信したパーソナルコンピュータ３に返信し、デジタルカメラ１１とパーソナルコンピュータ３との通信が拒否される（S.6）。
【００４２】
なお、検出手段によりパーソナルコンピュータ３からの通信開始要求が受信されると、図８に示すように、表示装置１４に通信開始要求を発信した相手先のパーソナルコンピュータ３を表示させると共に、パーソナルコンピュータ３の通信開始要求を許可するパスワード入力画面G３を表示させるようにしても良い。
【００４３】
パスワードは、デジタルカメラ側の不揮発性メモリ（例えば、フラッシュROM（図２参照））に記憶するのが望ましい。図９のフローチャートを参照しつつカメラ側でパスワードを入力する手順について説明する。
【００４４】
検出手段はパーソナルコンピュータ３から通信開始要求を受信すると（S.２０）、通信開始要求に含まれるIPアドレスやイーサネット（登録商標）のマックアドレスを抽出する（S.２１）。検出手段は通信開始要求を発信した相手先のパーソナルコンピュータ３の名称やIPアドレスを表示させると共に、パスワード入力画面G３を図８に示すように表示させる（S.２２）。
【００４５】
ユーザはこのパスワード入力画面G３でパスワードを入力する。パスワードが入力されると、フラッシュROMに記憶されているパスワードと入力されたパスワードとが一致するか否かをチェックする（S.２３）。フラッシュROMに記憶されているパスワードと入力されたパスワードとが一致していれば、入力されたパスワードは正規のユーザーが入力したと判断して、パーソナルコンピュータ３に向けて図５（ｂ）に示す通信開始応答パケットを返信する（S.２４）。
【００４６】
図９ではカメラ側でパスワードを入力する場合の処理手順について説明したが、パーソナルコンピュータ３の側（以下、PC側という）でパスワードを入力することもできる。
【００４７】
図１０はPC側でパスワードを入力する場合のシーケンスを示している。デジタルカメラ１１は、パーソナルコンピュータ３からの通信開始要求を受信すると、パスワード要求をパーソナルコンピュータ３へ送信する。図５（e）はデジタルカメラ１１からPC側へ向けて送信されるパスワード要求コマンドIDのパケット構成例を示している。このパスワード要求コマンドIDのパケットには、パスワード要求元の端末の種別、端末の名称等、その他の送信端末の情報が組み込まれている。
【００４８】
パーソナルコンピュータ３はパスワード要求コマンドを受信すると、図８にで示したパスワード入力画面G３と同様な画面構成のパスワード入力画面をそのパーソナルコンピュータのモニターに表示させる。
【００４９】
パーソナルコンピュータ３はパスワードが入力されると、パスワード応答をデジタルカメラ１１に送信する。
【００５０】
図５（ｆ）はパスワード応答コマンドIDのパケット構成例を示している。このパスワード応答コマンドIDには、パスワード応答元の端末の種別、端末の名称等、その他の送信端末の情報が組み込まれている。
【００５１】
デジタルカメラ１１は、パーソナルコンピュータ３からのパスワード応答を受信すると、フラッシュROMに記憶されているパスワードと受信したパスワードとが同一か否かチェックする。デジタルカメラ１１は受信したパスワードとフラッシュROMに記憶されているパスワードとが一致する場合、入力されたパスワードは正規のユーザーが入力したと判断して、パーソナルコンピュータ３に向けて通信開始応答パケットを返信する。
【００５２】
デジタルカメラ１１は受信したパスワードとフラッシュROMに記憶されているパスワードとが一致しない場合、入力されたパスワードは正規のユーザーが入力したものでないと判断して、通信の不許可を通知するために通信開始拒否応答パケットを送信する。
【００５３】
なお、フラッシュROMにはパスワード設定領域がある。このパスワード設定領域に、図１１（a）に示すように、ゼロ以外の値が入っているとパスワードの設定が「有り」と判断され、ゼロの値が入っているとパスワード設定「無し」と判断される。ここで、フラッシュROMは不揮発性のメモリを使用して電源がOFFとなっても保持内容が失われることはないものとする。フラッシュROMへのパスワードの書き込みは、公知の方法で行い、例えば、パスワードの設定は操作卓１５より入力しても良いし、パソコンからパスワード設定パケットをカメラに送信しても良い。パスワードの設定・変更の操作方法は、旧パスワードの入力、新パスワードの入力等、一般的方法であるので省略する。
【００５４】
また、通信プロトコルのなかには、複数の通信を同時に行うことが可能なプロトコルも存在する。このような通信プロトコルを用いた場合には、通信モードの実行中、他のパーソナルコンピュータやプリンタからの通信開始要求を受信した場合に、複数の相手端末と通信することが可能となる。
【００５５】
なお、通信可能な端末の数は、デジタルカメラ１１側のROM、RAM等のリソースの制限により制限される。
【００５６】
相手先のパーソナルコンピュータ３からの通信終了要求を受信すると、通信モードが解除されるようにしても良いし、通信モードを実行する直前の動作モードである撮影モードや再生モードに復帰させる構成としても良い。更に、デジタルカメラ１１の電源をオフすることにより強制的に通信を終了させる構成としても良い。
【００５７】
図１２はカメラ電源のオフ時の通信終了処理を説明するためのフローチャートである。
【００５８】
カメラ電源をオフにする操作を行うと（S.３１）、デジタルカメラ１１は図５（ｇ）に示す通信終了通知コマンドIDのパケットを相手端末に送信する（S.３２）。この通信終了通知コマンドIDのパケットには、例えば、送信元の端末種別、端末名称が組み込まれている。なお、この例では、図５（ｇ）に示す通信終了通知コマンドIDのパケットを相手端末に送信することにしているが、ブロードキャストによって全端末に送信して通知する構成としても良い。
【００５９】
次に、デジタルカメラ１１は、通信のソケットクローズ等の電源終了処理を行い（S.３３）、公知の手順による電源OFF処理（S.３４）を行って電源をOFFにする。カメラの電源OFFではなく、通信モード切替等、撮影処理に移行する場合等には、図１２のS.３３の通信終了処理までを行って、S．３４の電源OFF処理の代わりにモード切替処理を行う構成とすれば良い。
【００６０】
図１２ではカメラ側から通信を終了する場合の処理手順について説明したが、PC側から通信を終了する構成とすることもできる。
【００６１】
図１３はPC側から通信終了する場合のシーケンスを示している。パーソナルコンピュータ３は図５（ｈ）に示す通信終了要求IDのパケットをカメラ側に向けて送信する。
【００６２】
カメラ側は、パソコン側から送られた来た図５（ｈ）に示す通信終了要求IDのパケットを受信すると、図５（i）に示す通信終了応答IDのパケットを送信して通信を終了する。なお、この場合、通信終了応答IDのパケットをブロードキャストによって全端末に通知する構成としても良い。
（実施例２）
デジタルカメラ１１には、図１４に示すようにクライアントとしてのパーソナルコンピュータ３又はプリンタのマックアドレスを登録するテーブル１９が設けられている。フラッシュROMにはテーブル１９の設定領域が設けられている。フラッシュROMには不揮発性のメモリを使用して、電源がOFFとなっても保持内容が失われることはないものとする。
【００６３】
表示装置１４には、図１５に示すように選択入力画面Ｇ４が表示されている。この選択入力画面G４には通信開始要求に対して自動応答する自動応答ボタン２０が表示されている。ユーザが自動応答ボタン２０を操作すると、テーブル１９にクライアントのマックアドレスが登録される。以後、テーブル１９に登録されているマックアドレスを有する端末からの通信開始要求については、デジタルカメラ１１は自動応答を行う。
【００６４】
図１６はこの実施例２に係わるデジタルカメラ１１の作用を説明するためのフローチャートを示している。デジタルカメラ１１は、撮影モードでスルー画像を表示している状態や再生モードで再生画像を表示している状態で、定期的に通信開始要求があるか否かを監視する（Ｓ．１１）。
パーソナルコンピュータ３からの通信開始要求を受信すると、検出手段は通信開始要求パケットに含まれている送信元であるパーソナルコンピュータ３のマックアドレスを抽出する（Ｓ．１２）。
【００６５】
デジタルカメラ１１は、抽出されたマックアドレスとテーブル１９に登録されているマックアドレスとを照合して（Ｓ．１３）、照合結果が一致するときには相手先のクライアントとの通信を確立する（Ｓ．１６）。
【００６６】
デジタルカメラ１１は、抽出されたマックアドレスとテーブル１９に登録されているマックアドレスとを照合して（Ｓ．１３）、照合結果が不一致のときには、図１５に示す通信着信画面Ｇ４を表示装置１４に表示させる（Ｓ．１４）。
【００６７】
デジタルカメラ１１は、許可ボタン１７と拒否ボタン１８と自動応答ボタン２０とのいずれかが操作されるまで待機する（Ｓ．１５）。許可ボタン１７が操作されると、パーソナルコンピュータ３に向けて通信開始応答パケットを返信する（Ｓ．１６）。これにより、パーソナルコンピュータ３とデジタルカメラ１１との間に通信が確立される。また、拒否ボタン１８が操作されると、通信拒否パケットを返信し、デジタルカメラ１１とクライアントとの通信が拒否される（Ｓ．１７）。
【００６８】
許可ボタン１７、又は拒否ボタン１８が操作された場合には、相手端末のマックアドレスはテーブル１９に登録されない。
【００６９】
例えば、クライアントがパーソナルコンピュータＡであるとして、テーブル１９にパーソナルコンピュータＡが既登録の場合、つまり、抽出されたマックアドレスとテーブル１９に登録されているマックアドレスとの照合結果が一致した場合には、ステップS.16が実行されて、パーソナルコンピュータAとデジタルカメラ１１との間に通信が確立される。
【００７０】
テーブル１９にパーソナルコンピュータＡが未登録の場合、許可ボタン１７が操作されると、Ｓ．１６が実行されて、パーソナルコンピュータＡとデジタルカメラ１１との間に通信が確立される。拒否ボタン１８が操作されるとステップＳ．１７が実行される。また、自動応答ボタン２０が操作されると、テーブル１９にパーソナルコンピュータＡのマックアドレスが登録されると共に、パーソナルコンピュータＡとデジタルカメラ１１との間に通信が確立される（Ｓ．１８、Ｓ．１９）。
【００７１】
テーブル１９に登録して管理する機器固有情報としては、マックアドレスの他に図５（ａ）に示す通信開始要求パケットに含まれる情報（端末名称）を用いても良い。
【００７２】
また、機器固有情報をカメラ側から設定する方法もある。例えば、デジタルカメラ１１の製造シリアル番号と通信開始要求から抽出した相手端末のマックアドレスを用いて機器固有のパスワードを設定する。設定したパスワードは、図５（ｂ）に示す通信開始応答パケットに加えて、相手端末に送信する。
【００７３】
相手端末は、通信開始応答パケットに含まれる機器固有パスワードを抽出して保存しておく。以後、相手端末は、デジタルカメラ１１に通信開始要求パケットを送信する際に、保存してある機器固有パスワードを通信開始要求パケットに加えて送信する。
【００７４】
デジタルカメラ１１は、通信開始要求パケットから機器固有パスワードと相手端末のマックアドレスを抽出し、自身の製造シリアル番号と抽出した相手端末のマックアドレスとから機器固有情報を作成し、抽出した機器固有パスワードと照合することにより、通信が許可されている相手端末か否かを判断することが可能となる。
【００７５】
すなわち、照合結果が一致すれば、相手端末とデジタルカメラ１１との間での通信が許可されているので、通信確立ステップ（S.18、S．１９）に移行することが可能となる。照合結果が一致しない場合は、通信開始要求パケットを送信してきた相手端末との接続が許可されていないので、図１５に示す通信着信画面G４を表示装置１４に表示させる。
【００７６】
このように、自身の製造シリアル番号と相手端末を特定するためのマックアドレスや端末名称等の情報からの機器固有パスワードを作成するようにすれば、デジタルカメラ１１側でテーブル１９のような相手端末を登録するテーブルを保有する必要はなくなる。代わりに、相手端末側で機器固有パスワードを保有する必要がある。
【００７７】
この機器固有情報の一例を図１７に示す。カメラ側のシリアル番号を文字列に変換する。PC側のマックアドレスも文字列に変換する。その図１７にはカメラ側のシリアル番号が文字列”１２３４５６７８”、PC側のマックアドレスが文字列”ABCDEF”に変換された例が示されている。
【００７８】
固有機器情報は、その各文字列コードを単純合成して文字列である固有機器情報”１２３４５６７８ABCDEF”を作成する。パソコンを特定することが目的であるため、機器固有パスワード（UUID等）を作成できるのであれば、どのような方法でも構わない。この一例で示した機器固有パスワードは、他のPCから送られてきても、他のPCのMACアドレスが異なるため、受信した機器固有パスワードと受信時に作成した機器固有パスワードが同一にはならず、従って、通信は確立されない。この実施例であれば、一度接続許可したPCからの接続は常に通信許可できるようになる。
【００７９】
許可PCを解除する手順については、例えば、PC解除パケット等の通知を該当PCに送信し、保持中の機器固有パスワードを削除する構成とする。また、機器固有パスワードの作成時にバージョン番号を追加して作成する方法も考えられる。
【００８０】
そのバージョン番号はフラッシュROM等の不揮発性メモリに蓄積されている。許可PC解除時には、このバージョン番号を更新することによって許可PCの解除が可能となる。作成される機器固有パスワードがバージョン番号の更新と共に変更されるため、許可PC側で保持されている機器固有パスワードと内容が異なることにより不許可PCと認識される。なお、この場合、全てのPCが対象となる。
【００８１】
なお、外部のネットワークからルータを経由して通信開始要求を受信した場合には、相手端末は許可済み可の判断を行わず、図１６に示すＳ．１３をスキップして、必ず、通信着信画面Ｇ４を表示させるようにする。
【００８２】
というのは、ルータ経由の場合、相手先のマックアドレスがルータのマックアドレスに書き換えられ、相手先の端末を特定できないからである。
【００８３】
なお、外部のネットワークからのルータ経由のIPアドレスとルータ経由でない内部のネットワークのIPアドレスとでは、IPアドレスのネットワーク部分が異なる。そこで、ルータ経由の通信開始要求であるかどうかは、通信開始要求に含まれるIPアドレスのネットワーク部分をチェックすることにより判断する。
（実施例３）
この実施例では、図１８に示すように、表示装置１４には、相手先のクライアントへの通信を無条件に許可するか否かの無条件応答ボタン２１と、通信開始要求を発信した相手先のクライアントを表示すると共にそのクライアントの通信開始要求を許可する許可ボタン１７とそのクライアントの通信開始要求を拒否する拒否ボタン１８とを表示する選択入力設定ボタン２２と、パスワード入力ボタン２３とからなる通信着信画面Ｇ５が表示される構成となっている。
【００８４】
無条件応答ボタン２１を操作すると、無条件に相手先の端末と通信を確立させ、パスワード入力ボタン２３を操作すると入力パスワードを照合して照合結果が正しいときに相手先のクライアントとの通信を確立し、選択入力設定ボタン２２を操作すると、図３に示す選択入力画面Ｇ１が表示装置１４に表示される。この選択入力画面Ｇ１では、許可ボタン１７を操作すると相手先のクライアントとの通信が確立され、拒否ボタン１８を操作すると相手先のクライアントとの通信が拒否される。
【図面の簡単な説明】
【００８５】
【図１】ローカルエリアネットワークの一例を示す図である。
【図２】本発明に係わるデジタルカメラのブロック回路図である。
【図３】図２に示す表示装置に表示された選択入力画面の一例を示す図である。
【図４】本発明に係わるデータフレームの構成の一例を示す説明図である。
【図５】本発明に係わる画像撮影装置の通信に用いるパケットデータの構成の一例を示し、（ａ）は通信開始要求IDのパケットデータの一例であり、（ｂ）は通信開始応答IDのパケットデータの一例であり、（ｃ）は通信開始拒否IDのパケットデータの一例であり、（ｄ）は通信開始要求IDのパケットデータの他の例であり、（e）はパスワード要求コマンドIDのパケットデータの一例であり、（ｆ）はパスワード応答コマンドIDのパケットデータの一例であり、（ｇ）は通信終了通知コマンドIDのパケットデータの一例であり、（ｈ）は通信終了要求コマンドIDのパケットデータの一例であり、（i）は通信終了応答コマンドIDのパケットデータの一例である。
【図６】本発明の実施例１に係わる画像撮影装置の作用を説明するためのフローチャートである。
【図７】図２に示す表示装置に表示された通信中画面の一例を示す図である。
【図８】図２に示す表示装置に表示されたパスワード入力画面の一例を示す図である。
【図９】本発明の実施例１に係わる画像撮影装置のパスワードの処理手順のフローチャートであって、カメラ側でパスワードを入力する場合の説明図である。
【図１０】本発明の実施例１に係わる画像撮影装置のパスワードの処理手順のフローチャートであって、PC側でパスワードを入力する場合の説明図である。
【図１１】パスワードの有無の判別を行うためにフラッシュROMに記録されたパスワードデータの一例を示す図であって、（a）はパスワード「有り」のデータの一例を示し、（ｂ）はパスワード「無し」のデータの一例を示す図である。
【図１２】本発明の実施例１に係わる画像撮影装置の通信終了処理の手順のフローチャートであって、カメラ側で強制的に電源をOFFして通信を終了する場合の説明図である。
【図１３】本発明の実施例１に係わる画像撮影装置の通信終了処理の手順のフローチャートであって、PC側で通信を終了する場合の説明図である。
【図１４】本発明の実施例２に係わる画像撮影装置のテーブルの一例を示す図である。
【図１５】本発明の実施例２に係わる画像撮影装置の説明図であって、図２に示す表示装置に表示された通信着信画面の一例を示す図である。
【図１６】本発明の実施例２に係わるフローチャートの説明図である。
【図１７】本発明の実施例２に係わる機器固有のパスワードの作成の一例を示す説明図である。
【図１８】本発明の実施例３に係わる画像撮影装置の説明図であって、図２に示す表示装置に表示された選択入力画面の更に他の例を示す説明図である。
【符号の説明】
【００８６】
１１…画像撮影装置（デジタルカメラ）
１２…情報記憶媒体（外部記憶装置）
１４…表示装置（表示手段）
【図１】
2007060629.tif 000003
【図２】
2007060629.tif 000004
【図３】
2007060629.tif 000005
【図４】
2007060629.tif 000006
【図５】
2007060629.tif 000007
【図６】
2007060629.tif 000008
【図７】
2007060629.tif 000009
【図８】
2007060629.tif 000010
【図９】
2007060629.tif 000011
【図１０】
2007060629.tif 000012
【図１１】
2007060629.tif 000013
【図１２】
2007060629.tif 000014
【図１３】
2007060629.tif 000015
【図１４】
2007060629.tif 000016
【図１５】
2007060629.tif 000017
【図１６】
2007060629.tif 000018
【図１７】
2007060629.tif 000019
【図１８】
2007060629.tif 000020